(57)【要約】【課題】  光ピックアップアクチュエータ及びこれを採用した光記録及び／または再生機器、並びに方法を提供する。【解決手段】  一側に対物レンズが搭載されるブレードと、一端がブレードに結合され、他端がベース上の一側に備えられたホルダーに固定されてブレードを動き自在に支持する複数のサスペンションと、ベースに相互離隔して設けられる第１及び第２コイル部材と、第１及び第２コイル部材間に位置さるべくブレードに設けられる磁石部材と、を含むことを特徴とする。【選択図】  図２
2004310986.tif 000002
【特許請求の範囲】
【請求項１】
対物レンズを備えるブレードと、
一端が前記ブレードに結合され、他端がベース上の一側に備えられたホルダーに固定されて前記ブレードを動き自在に支持する複数のサスペンションと、
前記ベースに相互離隔して設けられる第１及び第２コイル部材と、
前記第１及び第２コイル部材間に位置されるべく前記ブレードに設けられる磁石部材と、を含むことを特徴とする光ピックアップアクチュエータ。
【請求項２】
前記第１及び第２コイル部材のうち何れか１つはフォーカスコイル部材、他の１つはトラックコイル部材であることを特徴とする請求項１に記載の光ピックアップアクチュエータ。
【請求項３】
１対のチルト駆動コイル部材をさらに備えることを特徴とする請求項１または２に記載の光ピックアップアクチュエータ。
【請求項４】
前記１対のチルト駆動コイル部材は、前記第１及び第２コイル部材のうちフォーカスコイル部材として使われる一コイル部材の下方に設けられることを特徴とする請求項３に記載の光ピックアップアクチュエータ。
【請求項５】
前記磁石部材は面分極磁石であることを特徴とする請求項１に記載の光ピックアップアクチュエータ。
【請求項６】
前記第１及び第２コイル部材はファインパターンコイルであることを特徴とする請求項１に記載の光ピックアップアクチュエータ。
【請求項７】
対物レンズを駆動するアクチュエータを備え、記録媒体の半径方向に移動自在に設けられて記録媒体に／から情報を再生／記録する光ピックアップと、前記光ピックアップのフォーカス、トラックサーボを制御するための制御部と、を含む光記録及び／または再生機器において、
前記アクチュエータは、  
対物レンズを備えるブレードと、
一端が前記ブレードに結合され、他端がベース上の一側に備えられたホルダーに固定されて前記ブレードを動き自在に支持する複数のサスペンションと、
前記ベースに相互離隔して設けられる第１及び第２コイル部材と、
前記第１及び第２コイル部材間に位置さるべく、前記ブレードに設けられる磁石部材と、を含むことを特徴とする光記録及び／または再生機器。
【請求項８】
前記第１及び第２コイル部材のうち何れか１つはフォーカスコイル部材、他の１つはトラックコイル部材であることを特徴とする請求項７に記載の光記録及び／または再生機器。
【請求項９】
前記アクチュエータは１対のチルト駆動コイル部材をさらに備えることを特徴とする請求項７または８に記載の光記録及び／または再生機器。
【請求項１０】
前記１対のチルト駆動コイル部材は、前記第１及び第２コイル部材のうちフォーカスコイル部材として使われる一コイル部材の下方に設けられることを特徴とする請求項９に記載の光記録及び／または再生機器。
【請求項１１】
前記磁石部材は面分極磁石であることを特徴とする請求項７に記載の光記録及び／または再生機器。
【請求項１２】
前記第１及び第２コイル部材はファインパターンコイルであることを特徴とする請求項７に記載の光記録及び／または再生機器。
【請求項１３】
レンズを含むブレードをトラッキング方向及び／またはフォーカシング方向に動かす段階と、
前記ブレード上の磁石との相互作用が前記ブレードのトラッキング方向及び／またはフォーカシング方向への動きを制御するように、前記ブレードから離隔されたコイルシステムを駆動する段階と、を含むことを特徴とする光ピックアップアクチュエート方法。
【請求項１４】
前記コイルシステムは、前記ブレードの磁石と相互作用してフォーカシング方向に前記ブレードの動きを制御するように、前記動き自在なブレードから離隔してベースに設けたフォーカスコイル部材を含むことを特徴とする請求項１３に記載の光ピックアップアクチュエート方法。
【請求項１５】
前記コイルシステムは、前記ブレードの磁石と相互作用してトラッキング方向に前記ブレードの動きを制御するように、前記動き自在なブレードから離隔してベースに設けたトラッキングコイル部材を含むことを特徴とする請求項１３に記載の光ピックアップアクチュエート方法。
【請求項１６】
前記コイルシステムは、前記ブレードの磁石と相互作用してフォーカシング方向及びトラッキング方向に前記ブレードの動きを制御するように、前記動き自在なブレードから離隔してベースに設けたフォーカスコイル部材及びトラッキングコイル部材を含むことを特徴とする請求項１３に記載の光ピックアップアクチュエート方法。
【請求項１７】
前記コイルシステムは、付加的なラジアルチルト方向に前記ブレードを駆動することを特徴とする請求項１３に記載の光ピックアップアクチュエート方法。
【請求項１８】
前記コイルシステムは、前記ブレードの磁石と相互作用してフォーカシング方向及びトラッキング方向に前記ブレードの動きを制御するように、前記動き自在なブレードから離隔してベースに全て設けたフォーカスコイル部材、トラッキングコイル部材及びチルト駆動コイル部材を含むことを特徴とする請求項１７に記載の光ピックアップアクチュエート方法。
【請求項１９】
記録媒体に貯蔵されたデータを表示する電気信号をレジスタリングする段階と、
再生プロセスが行われる時、貯蔵されたデータとしてレジスタされた電気信号を発生させるか、記録プロセスが行われる時、電気信号に基づいて記録媒体にデータを貯蔵するために、記録媒体にデータを記録及び／または記録媒体に記録されたデータを再生することを制御するように、請求項１５に記載の光ピックアップアクチュエート方法を行う段階と、を含むことを特徴とする記録及び／または再生方法。
【発明の詳細な説明】
【技術分野】
【０００１】
本発明はスリム型として使用する時に熱問題による可動部の性能低下が発生せず、小型化可能な光ピックアップアクチュエータ及びこれを採用した光記録及び／または再生機器、並びに方法に関する。
【背景技術】
【０００２】
一般に、光ピックアップは光記録及び／または再生機器に採用されて記録媒体である光ディスクの半径方向に移動しつつ非接触式で光ディスクに対して情報の記録及び／または再生を行う装置である。この光ピックアップは光ディスクの所望のトラック位置に光スポットが照射されるように対物レンズを光ディスクのトラック方向及びフォーカス方向に駆動するアクチュエータを備える。
【０００３】
ノート型パソコンのように、光記録及び／または再生機器を採用している携帯用機器は薄くて軽く作らねばらないために、全体システムの空間的な制約が伴い、これにより携帯用機器のための光ピックアップアクチュエータもスリム化が要求される。また、このような携帯用機器において、光ピックアップはスリム化のために光を対物レンズに向かわせるために反射鏡が採用される構造が適用されるが、スリム化の要求に応じて光ピックアップの対物レンズと反射鏡との距離を狭めるように光ピックアップアクチュエータの駆動軸と対物レンズの光軸とを異ならせて配した非対称型光ピックアップアクチュエータが提案されたことがある。
【０００４】
図１は、従来の非対称型光ピックアップアクチュエータの一例を概略的に示す斜視図である。
図面を参照すれば、従来の非対称型光ピックアップアクチュエータは、一側に対物レンズ１が搭載されるブレード２と、前記ブレード２をはじめとする可動部全体をベースに対してフォーカス方向Ｆ及びトラッキング方向Ｔに移動自在に一端がブレード２に結合され、他端がベース９に備えられたホルダー３に固定された複数本のワイヤー６と、前記可動部をフォーカス方向Ｆ及びトラッキング方向Ｔに駆動するための磁気回路を含んで構成される。
【０００５】
前記磁気回路は、ブレード２に設けられるフォーカスコイル４及びトラッキングコイル５と、前記フォーカスコイル及びトラッキングコイル４、５に流れる電流との相互作用で前記可動部を駆動させるための電磁気力を発生させる１対の磁石７及びヨーク８を含んで構成される。
【０００６】
したがって、前記フォーカスコイル４及びトラッキングコイル５に電流を印加すれば、前記フォーカスコイル４及びトラッキングコイル５に流れる電流と磁石７から出る磁束との相互作用によりフォーカスコイル４及びトラッキングコイル５に電磁気力が作用し、これにより可動部がフォーカス方向Ｆ及びトラッキング方向Ｔに移動してブレード２に搭載された対物レンズ１がフォーカス方向Ｆ及びトラッキング方向Ｔに移動する。
【０００７】
ところが、前記のような従来の非対称型光ピックアップアクチュエータは、対物レンズ１が搭載されるブレード２にコイル、特にフォーカスコイル４がブレード２に直接接触されるように設けられているので、駆動のためにコイル４、５に電流印加時に発生する熱がブレード２及び対物レンズにそのまま伝えられてブレード２の剛性を落として基本設計性能を劣化させ、これにより制御性能を変化させて対物レンズ１を損傷させる問題がある。
【０００８】
特に、スリム型はアクチュエータが光ピックアップ内に位置して光記録及び／または再生機器セットの大きさも他のタイプに比べて小さくて熱の放出が相対的に難しい。ところが、従来の非対称型光ピックアップアクチュエータと共にコイル４、５がブレード２に設けられれば、コイル４、５が可動部の熱源に直接作用するので、ノート型パソコンのような小型装置内の温度問題と結合されて初期設計したブレード２の剛性を落として基本設計性能の劣化を招き、トラッキング及びフォーカシング制御性能を変化させる。
【０００９】
例えば、前記のような従来の光ピックアップアクチュエータ構造によれば、電流印加前は２次共振周波数が２０ｋＨｚ近くに存在するが、電流を印加して熱が発生した後にはブレード２の剛性が落ちて２次共振周波数が１０ｋＨｚ近くに移動する。
このような熱による制御性能の変化は製品不良原因の多くの部分を占めている。
【００１０】
また、前述したように可動部にコイル４、５が設けられる従来の光ピックアップアクチュエータ構造によれば、ブレード２に搭載されているコイル４、５に電流を印加するために、ブレード２に通電のための多様な部品、例えば、ＰＣＢ（Ｐｒｉｎｔｅｄ Ｃｉｒｃｕｉｔ Ｂｏａｒｄ）１０及びワイヤー６などを設けなければならず、通電のためのハンダ付け工程が付加的に必要である。
【００１１】
ところが、スリム型の場合にアクチュエータの高さが４〜５ｍｍ程度であるために、ハンダ付けが１ｍｍ以下の厚さにならねばならないので、このような工程が手作業で進められていて量産性の限界に到達しており、このような組立て上の難点のために不良の発生も多くなって組立て偏差も大きい問題がある。
【００１２】
また、３軸駆動光ピックアップアクチュエータでは、フォーカス方向、トラック方向及びラジアルチルト方向駆動のためには６本のワイヤーが必要である。しかし、非常に狭い空間に多数本のワイヤーを設置する時に空間的制約を受けるので、ワイヤー数が多くなるほどワイヤーを取り付ける工程が非常に難しくなり、これにより不良率が上昇する。
【００１３】
また、前述したような従来の光ピックアップアクチュエータでは、フォーカスコイル４のうち実際制御に用いられる有効長が全体の約１／４しかならないので、不要なコイル部分がブレード２に搭載されることによって、アクチュエータの小型化に障害となるだけでなく、非対称性の増加を招く問題がある。
【発明の開示】
【発明が解決しようとする課題】
【００１４】
本発明は前記問題点を改善するために案出されたものであって、スリム型として使用する時、熱問題による可動部の性能低下が発生せず、小型化が可能で、かつ製造が容易で不良率を顕著に低められる光ピックアップアクチュエータ及びこれを採用した光記録及び／または再生機器、並びに方法を提供するところにその目的がある。
【課題を解決するための手段】
【００１５】
前記目的を達成するための本発明に係る光ピックアップアクチュエータは、対物レンズを備えるブレードと、一端が前記ブレードに結合され、他端がベース上の一側に備えられたホルダーに固定されて前記ブレードを動き自在に支持する複数のサスペンションと、前記ベースに相互離隔して設けられる第１及び第２コイル部材と、前記第１及び第２コイル部材間に位置さるべく前記ブレードに設けられる磁石部材と、を含むことを特徴とする。
【００１６】
前記目的を達成するための本発明は、対物レンズを駆動するアクチュエータを備え、記録媒体の半径方向に移動自在に設けられて記録媒体に／から情報を再生／記録する光ピックアップと、前記光ピックアップのフォーカス、トラックサーボを制御するための制御部と、を含む光記録及び／または再生機器において、前記アクチュエータは、対物レンズを備えるブレードと、一端が前記ブレードに結合され、他端がベース上の一側に備えられたホルダーに固定されて前記ブレードを動き自在に支持する複数のサスペンションと、前記ベースに相互離隔して設けられる第１及び第２コイル部材と、前記第１及び第２コイル部材間に位置さるべく、前記ブレードに設けられる磁石部材と、を含むことを特徴とする。
【００１７】
前記目的を達成するための本発明に係る光ピックアップアクチュエート方法は、レンズを含むブレードをトラッキング方向及び／またはフォーカシング方向に動く段階と、前記ブレード上の磁石との相互作用が前記ブレードのトラッキング方向及び／またはフォーカシング方向への動きを制御するように、前記ブレードから離隔されたコイルシステムを駆動する段階と、を含むことを特徴とする。
【００１８】
前記目的を達成するための本発明に係る記録及び／または再生方法記録媒体に貯蔵されたデータを表示する電気信号をレジスタリングする段階と、再生プロセスが行われる時、貯蔵されたデータとしてレジスタされた電気信号を発生させるか、記録プロセスが行われる時、電気信号に基づいて記録媒体にデータを貯蔵するために、記録媒体にデータを記録及び／または記録媒体に記録されたデータを再生することを制御するように、請求項１５に記載の光ピックアップアクチュエート方法を行う段階と、を含むことを特徴とする。
【発明の効果】
【００１９】
本発明に係る光ピックアップアクチュエータは熱発生部であるコイル部材を可動部から離脱させた磁石部材駆動方式であるために、スリム型として適用する時に熱問題による可動部の性能低下が発生しない。
【００２０】
また、従来のスリムタイプの非対称型光ピックアップアクチュエータの弱点を逆に用いて磁石部材の数を既存の２つから１つに減らし、非対称構造による既存のフォーカスコイル部材により要求される部分を除去可能となってブレード長を短くできて、スリムタイプが有する２次共振の脆弱点を改善でき、小型化可能である。
【００２１】
また、既存には可動部でコイル部材及び電線を連結するために要求されるプロセスが難しくて工程数増加及び不良率増加の主要因として作用したが、本発明によれば可動部で通電及び電流駆動のための部品を除去でき、通電及び電流駆動のための部品設置及び電気的な連結工程などがベースで行われるので、製造しやすくて不良率を顕著に低められる。
【００２２】
したがって、本発明に係る光ピックアップアクチュエータは非対称型であり、小型であるためにスリムタイプとして適用でき、これを採用すればスリム型光記録及び／または再生機器を実現でき、熱問題が生じないので性能が優秀である。
【発明を実施するための最良の形態】
【００２３】
本発明に係る光ピックアップアクチュエータは、可動部に磁石部材が設けられ、コイル及びそのコイルに駆動電流を印加するための電気的な構造はベースに備えられ、可動部の構造が簡単で、熱問題が発生せず、製作が容易である特徴を有している。
以下、添付した図面に基づいて本発明を詳細に説明する。
【００２４】
図２は、本発明の一実施例に係る光ピックアップアクチュエータを概略的に示す部分分離斜視図であり、図３は図２の光ピックアップアクチュエータの主要部分を示す平面図である。
【００２５】
図面を参照すれば、本発明に係る光ピックアップアクチュエータは、ベース３０に動き自在に設けられ、一側に対物レンズ３１が搭載されるブレード３２と、前記ベース３０に相互離隔して設けられる第１及び第２コイル部材３４、３５と、前記第１及び第２コイル部材３４、３５間に位置さるべくブレード３２に設けられる単一の磁石部材３７と、前記ブレード３２がベース３０に対して動き自在に一端がブレード３２に固定され、他端がベース３０上の一側に備えられたホルダー３３に固定されてブレード３２をベース３０に対して動き自在に支持する複数のサスペンション３６を含んで構成される。
【００２６】
本発明に係る光ピックアップアクチュエータはその駆動軸と対物レンズ３１の光軸とを異に配した非対称型であって、ブレード３２の一側に形成された設置孔に対物レンズ３１が設けられる。そして、ブレード３２には対物レンズ３１が設けられる方向とは反対側にコイル部材３４、３５及び磁石部材３７を取り付けられるべく取付け部３２ａが形成されている。
【００２７】
前記ブレード３２の取付け部３２ａは、磁石部材３７を前記第１及び第２コイル部材３５、３４間に位置さるべく設置でき、第１コイル部材３５を取付け部３２ａ内に位置させうる貫通型構造であり、前記磁石部材３７が第１及び第２コイル部材３５、３４と直接的に対向できるように一部が切開された形になっている。
【００２８】
本発明に係る光ピックアップアクチュエータは第１及び第２コイル部材３５、３４をベース３０に設置し、磁石部材３７は第１及び第２コイル部材３５、３４間に位置さるべく可動部のブレード３２に設けられる構造の磁気回路を備える点を特徴とする。
【００２９】
すなわち、前記第１及び第２コイル部材３５、３４はベース３０上に相互離隔して設けられる。前記磁石部材３７は前記第１及び第２コイル部材３５、３４間に位置さるべく前記ブレード３２に設けられる。
【００３０】
前記第１及び第２コイル部材３５、３４のうち何れか１つはトラックコイル、他の１つはフォーカスコイルとして使われうる。図２及び図３は、対物レンズ３１と磁石部材３７間に位置する第１コイル部材３５がトラックコイルとして使われ、ブレード３２の外側に位置した第２コイル部材３４がフォーカスコイルとして使われてフォーカス方向Ｆ及びトラッキング方向Ｔに駆動させる２軸駆動が可能となった例を示す。また、図２及び図３は第１及び第２コイル部材３５、３４としてバルクタイプコイルを使用する例を示す。
【００３１】
図２及び図３は、本発明に係る光ピックアップアクチュエータに適用可能な磁気回路の一例を示すものに過ぎず、本発明に係る光ピックアップアクチュエータが図２及び図３の構成に限定されるものではない。すなわち、本発明に係る光ピックアップアクチュエータにおいて、磁石部材３７の分極構造、第１及び第２コイル部材３５、３４のタイプ及び駆動方式は多様に変形されうる。
【００３２】
すなわち、前記磁石部材３７に多様な分極構造を有する面分極磁石を備えられる。そして、前記第１及び第２コイル部材３５、３４として磁石部材３７の分極構造に対応すべく多様な形状及び配置を有するファインパターンコイル（ＦＰＣ：Ｆｉｎｅ  Ｐａｔｔｅｒｎ  Ｃｏｉｌ）を備えられる。
【００３３】
また、本発明に係る光ピックアップアクチュエータは、図４及び図５に示されたように、１対のチルト駆動コイル部材をさらに備え、対物レンズ３１をフォーカス方向Ｆ、トラッキング方向Ｔ、ラジアルチルト方向Ｒｔｉｌｔに駆動させる３軸駆動を行うように備えられても良い。
【００３４】
図４は本発明の他の実施例に係る光ピックアップアクチュエータを概略的に示す部分分離斜視図であり、図５は図４の一部コイル部分だけを抜粋して示す図面である。ここで、図２及び図３と同じ参照符号は同じ機能を行う同じ部材を示す。
【００３５】
前記１対のチルト駆動コイル部材４４，４５は、前記第１及び第２コイル部材３５、３４のうちフォーカスコイルとして機能をする第２コイル部材３４の下方に位置することが望ましい。この際、前記第１及び第２コイル３５，３４及び１対のチルトコイル部材がバルク型の場合には、第２コイル部材３４と１対のチルト駆動コイル部材を設置するための巻線ヨークの形状だけを変えれば良い。
【００３６】
その他にも、本発明に係る光ピックアップアクチュエータにおいて、磁石部材３７の分極構造及びコイル部材は多様に変形されうる。
【００３７】
前記実施例と同様に、磁石部材３７が第１及び第２コイル部材３５、３４間に位置さるべくブレード３２に設けられる本発明に係る光ピックアップアクチュエータによれば、ブレード３２が図１に示された従来の光ピックアップアクチュエータでフォーカスコイル４を設置するために必要とするブレード２の裏部分を除去した構造に形成されうるので、ブレード３２の構造が単純化されて高い２次共振周波数を有する簡単な構造が得られ、ブレード３２を含む可動部が小さくなって光ピックアップアクチュエータを小型化できる。
【００３８】
前記サスペンション３６はブレード３２、３２の磁気回路が配される側面とは異なる側面に固定される。前記サスペンション３６は従来の光ピックアップアクチュエータにおいて通電経路として使われるものとは違って単にブレード３２を含む光ピックアップアクチュエータの可動部全体をベース３０に対して動き自在に支持する役割だけを行う。したがって、サスペンション３６をブレード３２に結合させる時、ハンダ付け工程などが不要なために、光ピックアップアクチュエータの製作工程が従来に比べて大きく単純化されうる。
【００３９】
図２及び図４では、本発明に係る光ピックアップアクチュエータが４つのサスペンション３６を備える例を示すが、このサスペンション３６の数は必要に応じて２つ、６つまたはそれ以上に変われる。
【００４０】
前述したように、ブレード３２に磁石部材３７を設け、第１及び第２コイル部材３５、３４を磁石部材３７の両側に位置さるべくベース３０に設置する構造の本発明の実施例に係る光ピックアップアクチュエータによれば、少なくとも次のような利点がある。
【００４１】
まず、磁気回路のうち磁石部材３７のみがブレード３２には設けられる磁石駆動方式であるために、熱によるブレード３２の設計性能の劣化問題及び対物レンズ３１の損傷問題が発生しない。
【００４２】
また、コイル部材３４、３５、４４、４５がベース３０に設けられるために、従来とは違って可動部に通電のためのハンダ付け作業が不要となる。もちろん、コイル部材３４、３５、４４、４５はベース３０に設けられるので、コイル部材３４、３５、４４、４５に駆動電流を印加できるように通電のためのハンダ付け作業及び電線連結作業などが必要である。しかし、ベース３０にはこのような作業を行うための空間が十分なので手作業によらずとも相対的にハンダ付けができ、ハンダ付けの大きさ及び高さ等に関する制約を大きく受けないので、従来のような手作業の代りに自動化でき、手作業でハンダ付けを行うとしても不良の問題がほとんど発生しない。したがって、本発明に係る光ピックアップアクチュエータによれば、不良率が顕著に低められる。また、作業工程を大きく改善できる。また、可動部に通電のための部品及び工程が不要なので、一体型射出プロセスによる光ピックアップアクチュエータの自動化生産も可能となる。したがって、本付加実施例において、光ピックアップアクチュエータは一体型射出プロセスを使用して形成されることもある。
【００４３】
また、サスペンション３６はブレード３２を含む可動部をベース３０に対して動き自在に支持する役割だけを行い、従来とは違って通電経路として使われないために、サスペンション３６を単にブレード３２に結合だけすれば良い利点がある。また、２軸駆動（フォーカス方向及びトラッキング方向駆動）、３軸駆動のためのサスペンション３６の数の変更が不要で、磁石部材３７の分極構造及び／またはコイル部材の巻線形態だけを変えれば良いので、本発明に係る光ピックアップアクチュエータを２軸駆動または３軸駆動用に変更しやすい。
【００４４】
また、既存の非対称型スリムタイプ光ピックアップアクチュエータにおいてフォーカスコイル部材により生じる不要な部分の除去が可能で結果的にブレード３２の長さが短くなるので、２次共振周波数を高周波に移動させうる。
【００４５】
また、ブレード３２にコイル部材に比べて重い磁石部材３７を設置するが、従来の光ピックアップアクチュエータで可動部に設けられるＰＣＢ、通電のためのハンダ付け部（チルト未駆動時に少なくとも８ポイント、チルト駆動時に少なくとも１２ポイント）、ブレード３２のフォーカスコイル部材をガイドするための部分などが除去されるので、重さ補償が可能で、従来の光ピックアップアクチュエータより可動部が重くならないように形成しうる。
【００４６】
図６は、本発明に係る光ピックアップアクチュエータを採用した光記録及び／または再生機器の構成を概略的に示す図面である。
【００４７】
図６を参照すれば、光記録及び／または再生機器は光情報貯蔵媒体、例えば、光ディスクＤを回転させるためのスピンドルモータ５５と、前記光ディスクＤの半径方向に移動自在に設けられて光ディスクに／から情報を再生及び／または記録する光ピックアップ５０と、スピンドルモータ５５と光ピックアップ５０とを駆動するための駆動部５７と、光ピックアップ５０のフォーカス、トラッキング及び／またはチルトサーボを制御するための制御部５９を含む。ここで、参照番号５２はターンテーブル、５３は光ディスクＤをチャッキングするためのクランプを示す。
【００４８】
光ピックアップ５０は光源から出射された光を光ディスクＤに集束させる対物レンズ３１を含む光ピックアップ光学系と、この対物レンズ３１を２軸または３軸駆動するための本発明に係る光ピックアップアクチュエータとを含む。
【００４９】
光ディスクＤから反射された光は光ピックアップ５０に備えられた光検出器を通じて検出され、光電変換されて電気的信号としてレジスタされる。この電気的信号は駆動部５７を通じて制御部５９に入力される。前記駆動部５７はスピンドルモータ５５の回転速度を制御し、入力された信号を増幅させ、光ピックアップ５０を駆動する。前記制御部５９は駆動部５７から入力された信号に基づいて調節されたフォーカスサーボ、トラッキングサーボ及び／またはチルトサーボ命令を再び駆動部５７に送り、光ピックアップ５０のフォーカシング、トラッキング及び／またはチルト動作を具現させる。
【産業上の利用可能性】
【００５０】
本発明の光ピックアップアクチュエータはスリム型光記録及び／または再生機器に適用されうる。
【図面の簡単な説明】
【００５１】
【図１】従来の非対称型光ピックアップアクチュエータの一例を概略的に示す斜視図である。
【図２】本発明の一実施例に係る光ピックアップアクチュエータを概略的に示す部分分離斜視図である。
【図３】図２の光ピックアップアクチュエータの要部を示す平面図である。
【図４】本発明の他の実施例に係る光ピックアップアクチュエータを概略的に示す部分分離斜視図である。
【図５】図４の一部コイル部分だけを抜粋して示す図面でる。
【図６】本発明に係る光ピックアップアクチュエータを採用した光記録及び／または再生機器の構成を概略的に示す図面である。
【符号の説明】
【００５２】
３０  ベース
３１  対物レンズ
３２  ブレード
３２ａ  取付け部
３３  ホルダー
３４、３５  第１及び第２コイル部材
３６  サスペンション
３７  磁石部材
【図１】
2004310986.tif 000003
【図２】
2004310986.tif 000004
【図３】
2004310986.tif 000005
【図４】
2004310986.tif 000006
【図５】
2004310986.tif 000007
【図６】
2004310986.tif 000008